(57)【要約】【課題】風に起因する果実の落下を抑制する果実袋の提供を目的とする。【解決手段】内部に果実を収容する果実袋であって、果実の周囲を水平方向から囲む胴部を有し上側に開口する袋本体を備え、胴部には、上下方向に沿って交互に並ぶ山折り部と谷折り部とが設けられている、果実袋。【選択図】図１
2018183071.tif 000002
【特許請求の範囲】
【請求項１】
内部に果実を収容する果実袋であって、
前記果実の周囲を水平方向から囲む胴部を有し上側に開口する袋本体を備え、
前記胴部には、上下方向に沿って交互に並ぶ山折り部と谷折り部とが設けられている、
果実袋。
【請求項２】
前記胴部の上側において袋本体の開口を閉じための紐部を備えた、
請求項１に記載の果実袋。
【請求項３】
前記胴部は、上下方向から見て略円形である、
請求項１又は２に記載の果実袋。
【請求項４】
前記山折り部および前記谷折り部は、周方向に沿って一様に延びている、
請求項１〜３の何れか一項に記載の果実袋。
【請求項５】
前記胴部に、ミウラ折りによって前記山折り部と谷折り部とが設けられている、
請求項１〜３の何れか一項に記載の果実袋。
【発明の詳細な説明】
【技術分野】
【０００１】
本発明は果実袋に関する。
【背景技術】
【０００２】
果実栽培では、病害虫、日光および風雨から果実を守る目的で、果実に果実袋が掛けられる。一方で、果実袋を掛けられた果実は、風に対する抵抗係数が大きくなり、落下の要因となることが指摘されている（非特許文献１）。
【先行技術文献】
【非特許文献】
【０００３】
【非特許文献１】松本浩乃，窪田佳寛，大石正行，望月修，リンゴの袋掛けと強風落下との関係，日本機械学会論文集，vol.82(2016), No.833, DOI: 10.1299/transjsme.15-00389, (2016),pp.1-8.
【発明の概要】
【発明が解決しようとする課題】
【０００４】
果実を確実に保護するとともに、果実の落下の要因となり難い果実袋が求められている。本発明は、このような従来の事情に鑑みて提案されたもので、風に起因する果実の落下を抑制する果実袋の提供を目的とする。
【課題を解決するための手段】
【０００５】
上記目的を達成するため、本発明の一態様の果実袋は、内部に果実を収容する果実袋であって、前記果実の周囲を水平方向から囲む胴部を有し上側に開口する袋本体を備え、前記胴部には、上下方向に沿って交互に並ぶ山折り部と谷折り部とが設けられている。
【０００６】
上述の果実袋において、前記胴部の上側において袋本体の開口を閉じための紐部を備えた構成としてもよい。
【０００７】
上述の果実袋において、前記胴部は、上下方向から見て略円形である構成としてもよい。
【０００８】
上述の果実袋において、前記山折り部および前記谷折り部は、周方向に沿って一様に延びている構成としてもよい。
【０００９】
上述の果実袋において、前記胴部に、ミウラ折りによって前記山折り部と谷折り部とが設けられている構成としてもよい。
【発明の効果】
【００１０】
本発明によれば、抵抗係数の増加を抑制した果実袋を提供できる。
【図面の簡単な説明】
【００１１】
【図１】第１実施形態の果実袋の使用例を示す斜視図。
【図２】第１実施形態の果実袋の正面図。
【図３】第１実施形態の果実袋の側面図。
【図４】第１実施形態の果実袋の平面図。
【図５】第１実施形態の果実袋の底面図。
【図６】第１実施形態の果実袋を折り畳んだ状態を示す正面図。
【図７】第２実施形態の果実袋の正面図。
【図８】実施例におけるサンプル（ｄ）の写真。
【図９】実施例におけるサンプル（ａ）〜（ｅ）の抵抗係数の測定結果。
【発明を実施するための形態】
【００１２】
以下、図面を参照しながら、本発明の実施形態に係る果実袋について説明する。以下の図面においては、各構成をわかりやすくするために、実際の構造と各構造における縮尺や数等を異ならせる場合がある。また、図面においては、適宜３次元直交座標系としてＸＹＺ座標系を示す。
【００１３】
＜第１実施形態＞
図１は、第１実施形態の果実袋１の使用例を示す斜視図である。図２、図３、図４、図５は、それぞれ果実袋１の正面図、側面図、平面図、底面図である。また、図６は、果実袋１を折り畳んだ状態を示す正面図である。
【００１４】
図１に示すように、鉛直方向と平行であり果実袋１の中心を通過する軸を中心軸Ｊとする。また、以下の説明においては、Ｚ軸方向の正の側（＋Ｚ側，一方側）を「上側」と呼び、Ｚ軸方向の負の側（−Ｚ側，他方側）を「下側」と呼ぶ。なお、本明細書における各方向は、果実袋使用時の姿勢の一例であり、果実袋の姿勢を限定するものではない。また、特に断りのない限り、中心軸Ｊに平行な方向を単に「軸方向」又は「上下方向」と呼び、中心軸Ｊを中心とする径方向を単に「径方向」と呼び、中心軸Ｊを中心とする周方向、すなわち、中心軸Ｊの軸周りを単に「周方向」と呼ぶ。
【００１５】
果実袋１は、袋本体５と、紐（紐部）２と、を有する。袋本体５は、上側に開口する袋状に形成されている。袋本体５の内部空間には、果実Ｆが収容される。
【００１６】
袋本体５は、紙、不織布、合成樹脂製フィルムなどにより構成されている。袋本体５は、筒状の胴部２０と、胴部２０の上側に位置し胴部２０の上側の開口を覆う集縛部１０と、胴部２０の下側に位置し胴部２０の下側の開口を覆う底部３０と、を有する。集縛部１０には、紐２が取り付けられている。
【００１７】
胴部２０は、上下方向（軸方向）に延びる筒形状を有している。胴部２０は、上下方向から見て円形である。胴部２０は、果実Ｆの周囲を水平方向から囲む。胴部２０は、複数の第１の帯状部２１と複数の第２の帯状部２２とを有する。第１および第２の帯状部２１、２２は、上下方向に沿って交互に並ぶ。第１および第２の帯状部２１、２２は、周方向に沿って延びる。
【００１８】
第１および第２の帯状部２１、２２は、中心軸Ｊを中心とする円錐柱の円錐面状に形成されている。第１の帯状部２１は、上側から下側に向かって直径を大きくする。したがって、第１の帯状部２１は、下端部の直径が上端部の直径より大きい。一方で、第２の帯状部２２は、上側から下側に向かって直径を小さくしており、上端部の直径が下端部の直径より大きい。
【００１９】
第１の帯状部２１の下端部は、その下側に位置する第２の帯状部の上端部と接続されている。また、第２の帯状部２２の下端部は、その下側に位置する第１の帯状部の上端部と接続されている。したがって、第１の帯状部２１の下端部の直径は、第２の帯状部２２の上端部の直径と一致し、第２の帯状部２２の下端部の直径は、第１の帯状部２１の上端部の直径と一致する。
【００２０】
第１の帯状部２１と第２の帯状部２２との間には、山折り部２６又は谷折り部２７が位置する。山折り部２６は、第１の帯状部２１の下端部と第２の帯状部２２の上端部との境界に位置する。谷折り部２７は、第２の帯状部２２の下端部と第１の帯状部２１の上端部との境界に位置する。換言すると、山折り部２６および谷折り部２７は、第１および第２の帯状部２１、２２を区画する。山折り部２６と谷折り部２７は、胴部２０の上下方向に沿って交互に並ぶ。山折り部２６および谷折り部２７は、それぞれ周方向に沿って一様に延びている。
【００２１】
次に胴部２０の作用について説明する。
水平方向に流れる風の中に、果実Ｆのような障害物を置くとき、障害物の後方（風の下流側）には、カルマン渦が形成される。カルマン渦は、障害物の表面から風が剥離する過程で生じる。このため、果実Ｆの後方では、圧力が低下して果実が後方に引っ張る応力が生じる。また、カルマン渦は、風の進行方向に対して左右に偏って交互に形成されるため、果実Ｆは、風の進行方向に対して左右に周期的に揺らされ、果実Ｆの落下の原因となる。
本実施形態によれば、胴部２０に山折り部２６および谷折り部２７が、上下方向に沿って交互に形成されている。したがって、胴部２０の後方には、山折り部２６同士の間にそれぞれ形成され上下方向に並ぶ複数のカルマン渦が形成される。すなわち、本実施形態によれば、山折り部２６において、カルマン渦を上下方向に分断し、それぞれのカルマン渦を小さくできる。これにより、胴部２０の後方の圧力低下を抑制し、果実Ｆを後方に引っ張る応力および左右に揺らす応力を小さくして果実Ｆの落下を抑制できる。
また、本実施形態の胴部２０は、上下方向から見て円形である。したがって、風が水平面内の如何なる方向から胴部２０に当たる場合であっても、上述の効果を奏することができる。
【００２２】
谷折り部２７の平面視における直径Ｄ３は、果実袋１内に収容される果実の収穫時の直径より若干大きく形成される。
また、図２に示すように、隣り合う山折り部２６同士の上下方向に沿う距離（すなわちピッチ）Ｄ１は、谷折り部２７の直径Ｄ３の１／１０以上、２／１０以下とすることが好ましい。すなわち、谷折り部２７の直径Ｄ３に対する山折り部２６同士の距離Ｄ１の比（Ｄ１／Ｄ３）は、１／１０以上、２／１０以下とすることが好ましい。距離Ｄ１を直径Ｄ３の１／１０以上とすることで、上下方向に沿う山折り部２６同士の距離を十分に確保してカルマン渦をより確実に分断できる。また、距離Ｄ１を直径Ｄ３の２／１０以下とすることで、上下方向に沿う山折り部２６および谷折り部２７の数を十分に確保して、カルマン渦を十分に分断し果実Ｆの落下をより確実に抑制できる。
また、山折り部２６と谷折り部２７との径方向に沿う距離Ｄ２は、谷折り部２７の直径Ｄ３の０．８７／１０以上、１．７３／１０以下とすることが好ましい。すなわち、谷折り部の直径Ｄ３に対する山折り部と谷折り部との径方向に沿う距離Ｄ２の比（Ｄ２／Ｄ３）は、０．８７／１０以上、１．７３／１０以下とすることが好ましい。距離Ｄ２を直径Ｄ３の０．８７／１０以上とすることで、山折り部２６におけるカルマン渦を分断する効果を確実に奏することができる。距離Ｄ２を直径Ｄ３の１．７３／１０以下とすることで、胴部２０の投影面積が増大することを抑制し、風に対する果実袋１の抵抗係数が大きくなることを抑制できる。
上述の範囲で、距離Ｄ１、Ｄ２を設けた果実袋１は、山折り部２６および谷折り部２７において、約６０°で折り曲げられている。
【００２３】
図６に示すように、胴部２０は、上下方向に蛇腹状に折り畳むことができる。より具体的には、胴部２０は、山折り部２６および谷折り部２７において第１の帯状部２１と第２の帯状部２２とがなす角度を小さくすることで、上下方向の寸法を小さくすることができる。これにより、未使用状態において果実袋１を省スペースで保管することができ、果実袋１の搬送コストを抑制できる。
【００２４】
また、果実袋１は、胴部２０が上下方向に折り畳まれた状態から、作業者が紐２を掴んで持ちあげられることで、袋本体５の自重により胴部２０が開いて図１〜図５に示す状態となる。したがって、胴部２０を開く手順を省略でき、作業を簡素化して作業者の負担を軽減できる。
【００２５】
集縛部１０は、袋本体５において胴部２０の上側に位置し、胴部２０の上端から上側に延びる。集縛部１０の上端は、上側に開口している。集縛部１０の上端部には、周方向に沿って形成された紐通し部１１が設けられている。紐通し部１１の内部には、紐２が挿入される。紐通し部１１には、少なくとも１か所の通し口１１ａが設けられている。
【００２６】
紐２は、集縛部１０の紐通し部１１に挿通されている。紐２の両端部は、通し口１１ａから外側に引き出されている。紐２の両端部は、紐通し部１１の外側において、結ばれていてもよい。紐２は、繊維からなるものに限定されない。例えば、紐２が針金で構成されていてもよい。
【００２７】
作業者が紐２の両端部を引っ張ることで、紐２の大部分は、通し口１１ａから引き出され、紐通し部１１が絞られる。これにより、紐２は、胴部２０の上部において袋本体５の開口を閉じる。また、紐２は、図１に示すように、果実Ｆが生る樹木の枝Ｂに結ばれることが好ましい。この場合には、果実Ｆが枝Ｂから離れた場合であっても、袋本体５内で受け止められて果実Ｆが地面に落下することを抑制できる。
【００２８】
＜第２実施形態＞
図７は、第２実施形態の果実袋１０１を示す正面図である。第２実施形態の果実袋１０１は、上述の実施形態と比較して胴部１２０の構造が異なる。なお、上述の実施形態と同一態様の構成要素については、同一符号を付し、その説明を省略する。
【００２９】
果実袋１０１は、袋本体１０５と、紐（紐部）２と、を有する。袋本体１０５は、筒状の胴部１２０と、胴部１２０の上側に位置し胴部１２０の上側の開口を覆う集縛部１０と、胴部１２０の下側に位置し胴部１２０の下側の開口を覆う底部３０と、を有する。
【００３０】
胴部１２０は、上下方向（軸方向）に延びる筒形状を有している。胴部１２０は、上下方向から見て円形である。胴部１２０には、ミウラ折り（登録商標）によって山折り部１２６と谷折り部１２７とが形成されている。ミウラ折りは、３次元的に形成された折り目構造である。ミウラ折りにより形成された胴部１２０は、皺を生じることなく上下方向に折り畳むことができる。
【００３１】
山折り部１２６および谷折り部１２７は、上下方向に沿って交互に並んでいる。また、複数の山折り部１２６は、周方向に沿って並んでいる。胴部１２０の周囲を通過する風は、周方向に沿って並ぶ山折り部１２６において剥離する。したがって、本実施形態の胴部１２０の周囲では風の剥離が周方向の全体で生じる。このため、胴部１２０の後方（風の下流側）ではカルマン渦が形成され難い。これにより、果実Ｆに加わる風に起因する負荷を低減して、果実Ｆの落下を抑制できる。
【００３２】
以上に、本発明の様々な実施形態を説明したが、各実施形態における各構成およびそれらの組み合わせ等は一例であり、本発明の趣旨から逸脱しない範囲内で、構成の付加、省略、置換およびその他の変更が可能である。また、本発明は実施形態によって限定されることはない。
【実施例】
【００３３】
以下、実施例により本発明の効果をより明らかなものとする。なお、本発明は、以下の実施例に限定されるものではなく、その要旨を変更しない範囲で適宜変更して実施することができる。
【００３４】
本発明の効果を確認する目的で、サンプル（ａ）、（ｂ）、（ｃ）、（ｄ）、（ｅ）を用意し、定常流化における抵抗力の測定しその結果を基に各サンプルの抵抗係数を算出した。
以下、各サンプルについて、説明する。
【００３５】
サンプル（ａ）は、樹脂材料から構成される円柱である。円柱の直径は、６０ｍｍであり、高さは６０ｍｍである。
サンプル（ｂ）は、サンプル（ａ）の円柱の外周面に果実袋用の紙を巻き付けた構成を有する。
サンプル（ｃ）は、サンプル（ａ）の円柱の外周面に皺を付けた果実袋用の紙を巻き付けた構成を有する。
サンプル（ｄ）は、サンプル（ａ）の円柱の外周面にミウラ折りを施した果実袋用の紙を巻き付けた構成を有する。サンプル（ｄ）は、上述の第２実施形態の構成を満たす。サンプル（ｄ）の写真を図８に示す。
サンプル（ｅ）は、サンプル（ａ）の円柱の外周面に上下方向に沿って等間隔に交互に並ぶ山折り部と谷折り部とが設けられた果実袋用の紙を巻き付けた構成を有する。サンプル（ｅ）の山折り部および谷折り部は、周方向に沿って一様に延びている。サンプル（ｅ）は、６個の山折り部と、その間に位置する５個の谷折り部を有する。サンプル（ｅ）は、第１実施形態の構成を満たす。
【００３６】
図９に、サンプル（ａ）〜（ｅ）の抵抗係数の算出結果を示す。
図９に示すように、第１実施形態に対応するサンプル（ｅ）および第２実施形態に対応するサンプル（ｄ）において、大幅に抵抗係数を低減できることが確認された。
【符号の説明】
【００３７】
１，１０１…果実袋、２…紐（紐部）、５，１０５…袋本体、２０，１２０…胴部、２６，１２６…山折り部、２７，１２７…谷折り部、Ｆ…果実
【図１】
2018183071.tif 000003
【図２】
2018183071.tif 000004
【図３】
2018183071.tif 000005
【図４】
2018183071.tif 000006
【図５】
2018183071.tif 000007
【図６】
2018183071.tif 000008
【図７】
2018183071.tif 000009
【図８】
2018183071.tif 000010
【図９】
2018183071.tif 000011